(57)【特許請求の範囲】
【請求項１】
ある生理用品やある失禁用品等のある用品の販売促進のために使用される販売促進のための単品格納型ディスプレイの外被となるサンプルパッキング用カバー体であって、
前記ある用品がパッキングされたときに当該ある用品の着用者への当接面となる側をカバーする部分が透明であると共に、着用者の陰唇の陰裂方向に沿った方向をｘ方向とし、着用者の陰唇の陰裂方向と直交する方向をｙ方向とした場合に、少なくとも前記ｙ方向については、前記単品格納型ディスプレイをその外側から見たときに全体として凹んだ印象を与える湾曲が形成されており、
前記ある用品の着用者への当接面となる側をカバーする部分において、パッキングされる前記ある用品の着用者への当接面となる側の表面形状に沿った凹凸が更に設けられていることを特徴とするサンプルパッキング用カバー体。
【請求項２】
ある生理用品やある失禁用品等のある用品の販売促進のために使用される販売促進のための単品格納型ディスプレイの外被となるサンプルパッキング用カバー体であって、
前記ある用品がパッキングされたときに当該ある用品の着用者への当接面となる側をカバーする部分が透明であると共に、着用者の陰唇の陰裂方向に沿った方向をｘ方向とし、着用者の陰唇の陰裂方向と直交する方向をｙ方向とした場合に、少なくとも前記ｙ方向については、前記単品格納型ディスプレイをその外側から見たときに全体として凹んだ印象を与える湾曲が形成されており、
前記ある用品の着用者への当接面となる側をカバーする部分において、パッキングされる前記ある用品の着用者への当接面に当接する人体の一部の形状をイメージさせる凹凸が更に設けられていることを特徴とするサンプルパッキング用カバー体。
【請求項３】
前記ある用品の下着への当接面となる側をカバーする部分には、前記下着への当接面に当接されるもしくは当接されるべき下着のイミテーションラインが図示されていることを特徴とする請求項１または２記載のサンプルパッキング用カバー体。
【請求項４】
ある生理用品やある失禁用品等のある用品の販売促進のために使用される販売促進のための単品格納型ディスプレイの外被となるサンプルパッキング用カバー体であって、
前記ある用品がパッキングされたときに当該ある用品の着用者への当接面となる側をカバーする部分が透明であると共に、着用者の陰唇の陰裂方向に沿った方向をｘ方向とし、着用者の陰唇の陰裂方向と直交する方向をｙ方向とした場合に、少なくとも前記ｙ方向については、前記単品格納型ディスプレイをその外側から見たときに全体として凹んだ印象を与える湾曲が形成されており、
前記ある用品の下着への当接面となる側をカバーする部分には、前記下着への当接面に当接されるもしくは当接されるべき下着のイミテーションラインが図示されていることを特徴とするサンプルパッキング用カバー体。
【請求項５】
擬似的な人体の一部を想起させるものとして、前記ある用品の着用者への当接面となる側の表面形状に沿った凹凸もしくは前記ある用品の着用者への当接面に当接する人体の一部の形状をイメージさせる凹凸に対して嵌め合わせることができるサブディスプレイ片が、更に取り付けられているものであることを特徴とする請求項１から３いずれか記載のサンプルパッキング用カバー体。
【請求項６】
前記単品格納型ディスプレイをその外側から見たときに全体として凹んだ印象を与える湾曲が前記ｘ方向にも形成されていることを特徴とする請求項１から５いずれか記載のサンプルパッキング用カバー体。
【請求項７】
前記ある用品を前記ある用品の着用者への当接面となる側をカバーする部分に向かって押し付けるサポートが、更に取り付けられているものであることを特徴とする請求項１から６いずれか記載のサンプルパッキング用カバー体。
【請求項８】
前記ある用品の着用者への当接面となる側をカバーする部分だけでなく、その全体が透明であることを特徴とする請求項１から７いずれか記載のサンプルパッキング用カバー体。
【請求項９】
前記ある用品の訴求ポイントを指摘する補助ディスプレイ片が、更に取り付けられているものであることを特徴とする請求項１から８いずれか記載のサンプルパッキング用カバー体。
【請求項１０】
前記ある用品の一部をサンプルパッキング用カバー体の外部に露出させる窓が存在しない窓無しサンプルパッキング用カバー体であることを特徴とする請求項１から９いずれか記載のサンプルパッキング用カバー体。
【請求項１１】
サンプルパッキング用カバー体に前記ある用品がパッキングされて販売促進のための単品格納型ディスプレイが形成されたときに、当該ある用品において着用者の臀部に当接する部分が下側に位置するような形状とされていることを特徴とする請求項１から１０いずれか記載のサンプルパッキング用カバー体。
【請求項１２】
ある用品の販売促進のために使用される販売促進のための単品格納型ディスプレイの外被となるサンプルパッキング用カバー体であって、
前記ある用品がパッキングされたときに当該ある用品の着用者への当接面となる側をカバーする部分において、パッキングされる前記ある用品の着用者への当接面となる側の表面形状に沿った凹凸が更に設けられているか、もしくは、前記ある用品の着用者への当接面となる側をカバーする部分において、パッキングされる前記ある用品の着用者への当接面に当接する人体の一部の形状をイメージさせる凹凸が更に設けられているものであることを特徴とするサンプルパッキング用カバー体。
【請求項１３】
擬似的な人体の一部を想起させるものとして、前記ある用品の着用者への当接面となる側の表面形状に沿った凹凸もしくは前記ある用品の着用者への当接面に当接する人体の一部の形状をイメージさせる凹凸に対して嵌め合わせることができるサブディスプレイ片が、更に取り付けられているものであることを特徴とする請求項１２記載のサンプルパッキング用カバー体。
【請求項１４】
ある生理用品の販売促進のために使用される販売促進のための単品格納型ディスプレイの外被となるサンプルパッキング用カバー体であって、
前記ある生理用品の下着への当接面となる側をカバーする部分には、前記下着への当接面に当接されるもしくは当接されるべき下着のイミテーションラインが図示されていることを特徴とする請求項１３記載のサンプルパッキング用カバー体。
【請求項１５】
請求項１から１４いずれか記載のサンプルパッキング用カバー体に、対応する用品がパッキングされたものからなる単品格納型ディスプレイ。
【発明の詳細な説明】
【０００１】
【発明の属する技術分野】
本発明は、ある用品、例えば生理用ナプキン、生理用パッド、生理用ショーツや、失禁ライナー、失禁パッド等の失禁用品の販売促進のために使用される単品格納型ディスプレイ、特に、用品に係る商品サンプルをパッキングするのに好適なサンプルパッキング用カバー体、当該サンプルパッキング用カバー体で商品サンプルがパッキングされたものからなる単品格納型ディスプレイに関する。
【０００２】
【従来技術】
生理用ナプキンの起源は古く、その起源は第一次世界大戦において使用された兵士の止血用のナプキンに遡る。そして、その後しばらくは戦場にて用いられたものとあまり変わらない平坦なものが使用され続けていたが、最近では、その吸収能力や用途によって様々な形状ないしは種類のものが開発され、市場に出回るようになってきている。
【０００３】
このような市販の生理用ナプキンにおいては、その性能や用途を明確に記述するために様々な努力がなされているが、その殆どは文字伝達によるものである。ところが、文字による説明文は、読むのが煩しかったり、或いは専門用語が使われているなどして馴染み難く、その内容が解りにくい或いは読みにくいといったような問題があり、特に活字離れが進んだ現代では敬遠される方向にある。
【０００４】
そうしたことから、ナプキンの用途やその性能については、可能な限り視覚に訴え、それが一見して把握できるようにしたものであるのが好ましい。
【０００５】
【発明が解決しようとする課題】
しかしながら、実際には、視覚によってナプキンの性能を指し示すようなことはあまり行われていない。そして、このような状況下にあって、例えば、図１３に示すような透明ケース体５を用い、この透明ケース体５にサンプル製品６を収容してそれを台紙７で裏打ちしたものを単品格納型ディスプレイ８（図１４）として商品陳列棚の横にぶらさげておくなどということが行われている。
【０００６】
ところが、このような単品格納型ディスプレイ８を使用した場合でも、従来からの単品格納型ディスプレイでは、商品の製品の性能その他に対するアピール度が低く、消費者の購買意欲をそそる販売促進ツールとして役立つというような観点からすれば不十分なものであった。
【０００７】
本発明は以上のような課題に鑑みてなされたものであり、その目的は、消費者に対して、その性能や訴求ポイントをあますことなくアピールすることができるような単品格納型ディスプレイを作り出すこと、より具体的には、そのような単品格納型ディスプレイを作り出せるようなサンプルパッキング用カバー体を提供することにある。
【０００８】
【課題を解決するための手段】
以上のような目的を達成するために、本発明においては、サンプルパッキング用カバー体において、生理用ナプキンを収容している状態で当該生理用ナプキンが着用者に接触する側が向く部分を透明にすることに加え、その透明部分を縦側にも横側にも凹んだ湾曲とし、かつその表面形状を当該生理用ナプキンの表面形状の凹凸に忠実に追従させたものとしたことにより、生理用ナプキンの表面形状を把握し易くするようにしたと共に、この単品格納型ディスプレイによって商品が陳列されたときに、それが消費者によって手荒く扱われた場合でも、サンプルパッキング用カバー体の内部に収容されているサンプル商品のズレを防止することができるようにしたことを特徴とする。
【０００９】
更には、上記のようなサンプルパッキング用カバー体において、商品の訴求ポイントを更に強調するサブディスプレイ片を取り付けたり、或いは、着用した状態を具体的にイメージさせるための、補助ディスプレイ片を設けることにより、商品のアピール度を一層強調するようにしたことを特徴とするものである。
【００１０】
より具体的には、本発明においては以下のようなものを提供する。
【００１１】
（１）  ある用品の販売促進のために使用される販売促進のための単品格納型ディスプレイの外被となるサンプルパッキング用カバー体であって、前記ある用品がパッキングされたときに当該ある用品の着用者への当接面（人体当接面）となる側（人体当接面側）をカバーする部分（人体当接面側カバー部分）が透明であると共に、着用者の陰唇の陰裂方向に沿った方向をｘ方向とし、着用者の陰唇の陰裂方向と直交する方向をｙ方向とした場合に、少なくとも前記ｙ方向については、前記単品格納型ディスプレイをその外側から見たときに全体として凹んだ印象を与える湾曲が形成されていることを特徴とするサンプルパッキング用カバー体。
【００１２】
上記（１）に係るサンプルパッキング用カバー体においては、着用者の陰唇の陰裂方向と直行する方向に沿って全体として凹んだ印象を与える湾曲が形成されていることにより、陰裂と直行する方向に存在する生理用ナプキンの表面の凹凸を強調されてアピールされるようになる。
【００１３】
このようなことにより、例えば陰列や臀部の谷間に深く入り込んで経血の漏れを防止するタイプの生理用ナプキンなどをパッキングして単品格納型ディスプレイを形成した場合には、その単品格納型ディスプレイを手にした消費者に対しては、その性能を一目瞭然で解らせることができるようになる。従って、経血の漏れ防止の効果を商品選択の主要な観点とする消費者にとっては、商品の選び易さという点では非常に好都合となる。
【００１４】
また、かかる方向に凹んだ湾曲になることによって、生理用ナプキンの横漏れ防止のために設けられているギャザーが立ちやすく、消費者にとっては、ギャザーの性能その他を確認するのに格好なものとなる。
【００１５】
なお、「その外側から見たときに全体として凹んだ印象を与える湾曲」というのは、基本的には実際に凹んだ湾曲であることによってその外側から見たときに全体として凹んだ印象を与えるものであるが、かかる部分が全てへこんだ形状をしていなければならないというわけでなく、全体として凹んでいる印象を与えるものである限り、一部に凸の部分が存在していてもよい。
【００１６】
（２）  前記単品格納型ディスプレイをその外側から見たときに全体として凹んだ印象を与える湾曲が前記ｘ方向にも形成されていることを特徴とする（１）記載のサンプルパッキング用カバー体。
【００１７】
上記（２）に係る陰裂方向に湾曲サンプルパッキング用カバー体においては、陰裂方向と陰裂に直行方向の湾曲どうしが相俟って、パッキングされた生理用ナプキンの表面形状の強調がより顕著になるという効果がある。
【００１８】
また、この場合において、このように両方向において湾曲を形成した場合には、着用者のヒップの部分を広く覆う所謂“ヒップガード”の湾曲した様子をかなり忠実に再現することができるという効果も有する。また更に、陰裂方向もしくは陰裂と直行する方向のいずれか、特に陰裂方向に湾曲したものと比較した場合においては、湾曲の度合いが小さくても立体感を強調させることができるという効果もあり、この効果を有するために、従来からの単品格納型ディスプレイを使用した場合よりも、省スペース化に役立つことにもなる。
【００１９】
これに加えて、両方向に湾曲をさせることにより、パッキングされている生理用ナプキンが縦横斜めのいずれの方向にもズレ難くなり、単品格納型ディスプレイが消費者によって強く振られた場合でも、中身のサンプルがずれることが無いという効果がある。これは、多くの消費者の手に触れられ、しかも手荒に扱われることが少なからずある単品格納型ディスプレイにとっては非常に有為な効果であると位置づけられる。
【００２０】
（３）  前記人体当接面側カバー部分において、パッキングされる前記ある用品の着用者への当接面となる側の表面形状に沿った凹凸（人体当接面側表面形状追従凹凸）が更に設けられていることを特徴とする（１）または（２）記載のサンプルパッキング用カバー体。
【００２１】
上記（３）に係るサンプルパッキング用カバー体においては、パッキングされる用品の表面形状に沿った凹凸が更に設けられることにより、パッキングされている生理用ナプキンに対するサンプルパッキング用カバー体の立体強調効果やズレ防止効果が更に高まり、単品格納型ディスプレイとしての機能が更に高められることになる。
【００２２】
（４）  前記人体当接面側カバー部分において、パッキングされる前記ある用品の着用者への当接面に当接する人体の一部の形状をイメージさせる凹凸（人体形状想起凹凸）が更に設けられていることを特徴とする（１）または（２）記載のサンプルパッキング用カバー体。
【００２３】
上記（４）に係るサンプルパッキング用カバー体においては、人体当接面側カバー部分において人体の一部の形状をイメージさせる凹凸が設けられていることにより、消費者にとっては、着用したときの様子が想起されやすいという効果を奏し、商品選択の際に便利である。
【００２４】
（５）  擬似的な人体の一部を想起させるものとして、前記人体当接面側表面形状追従凹凸もしくは前記人体形状想起凹凸に対して嵌め合わせることができるサブディスプレイ片が、更に取り付けられているものであることを特徴とする（３）または（４）記載のサンプルパッキング用カバー体。
【００２５】
上記（５）に係るサンプルパッキング用カバー体においては、上記のようなサブディスプレイ片が更に取り付けられている事により、消費者はサブディスプレイ片を手にとって単品格納型ディスプレイの人体当接面側カバー部分にこれを嵌め合わせたりすることができる。これによって、サンプル商品（生理用ナプキン）を着用した状態を上記（４）のカバー体の場合よりも、よりイメージしやすくなるという効果がある。
【００２６】
（６）  前記ある用品を前記人体当接面側カバー部分に向かって押し付けるサポートが、更に取り付けられているものであることを特徴とする（１）から（５）いずれか記載のサンプルパッキング用カバー体。
【００２７】
上記（６）に係るサンプルパッキング用カバー体においては、上記のようなサポートの存在により、このサポートによる押しつけ効果に伴って、先に述べたサンプルパッキング用カバー体立体によるサンプル商品（生理用ナプキン）の強調効果やズレ防止効果が更に高められることになる。
【００２８】
（７）  前記人体当接面側カバー部分だけでなく、その全体が透明であることを特徴とする（１）から（６）いずれか記載のサンプルパッキング用カバー体。
【００２９】
上記（７）に係るサンプルパッキング用カバー体においては、その表面だけではなく裏面までもが透明であることになり、消費者にとってみれば、サンプルパッキング用カバー体に中にパッキングされているサンプル商品（生理用ナプキン）の観察がよりしやすくなるという効果がある。
【００３０】
（８）  前記ある用品の下着への当接面（下着当接面）となる側（下着当接面側）をカバーする部分（下着当接面側カバー部分）には、前記下着当接面に当接されるもしくは当接されるべき下着のイミテーションラインが図示されていることを特徴とする（１）から（７）いずれか記載のサンプルパッキング用カバー体。
【００３１】
上記（８）に係るサンプルパッキング用カバー体においては、下着のイミテーションラインが更に付加されていることにより、消費者にとっては実際に下着を使って装着した場合の状態を想起しやすくなり、また、パッキングされているサンプル商品（生理用ナプキン）に対してはどのような下着が好適であるかを判断する材料とすることが可能となる。
【００３２】
（９）  前記ある用品の訴求ポイントを指摘する補助ディスプレイ片が、更に取り付けられているものであることを特徴とする（１）から（８）いずれか記載のサンプルパッキング用カバー体。
【００３３】
上記（９）に係るサンプルパッキング用カバー体においては、サンプル商品（生理用ナプキン等の生理用品や失禁用品等の用品）における訴求ポイント指摘する補助ディスプレイ片が更に取り付けられていることにより、当該サンプル商品のどの部分に訴求ポイントがあるかということについて、需要者が判断しやすくなる。
【００３４】
また、この補助ディスプレイ片は、それ自体で交換可能なものとすることにより、ある種類のサンプルパッキング用カバー体において、訴求ポイントが異なる複数の生理用ナプキンのパッキング用に対して兼用させることができるようになる。このような場合においては、補助ディスプレイ片のみを替えるだけで対応することができ、訴求ポイントが異なる複数の生理用ナプキンに対しても、兼用させることができるサンプルパッキング用カバー体を用意した上で、複数種類の補助ディスプレイ片を用意することにより、販売促進の効果を殆ど損なうことなく、容易に対応することができるという効果がある。
【００３５】
（１０）  前記ある用品の一部をサンプルパッキング用カバー体の外部に露出させる窓が存在しない窓無しサンプルパッキング用カバー体であることを特徴とする（１）から（９）いずれか記載のサンプルパッキング用カバー体。
【００３６】
上記（１０）に係るサンプルパッキング用カバー体においては、用品の一部を外部に露出させる窓が存在しないことにより、用品の一部が汚れてしまい、見栄えが悪くなってしまうというような事態を防止することができる。
【００３７】
（１１）  サンプルパッキング用カバー体に前記ある用品がパッキングされて販売促進のための単品格納型ディスプレイが形成されたときに、当該ある用品において着用者の臀部に当接する部分が下側に位置するような形状とされていることを特徴とする（１）から（１０）いずれか記載のサンプルパッキング用カバー体。
【００３８】
上記（１１）に係るサンプルパッキング用カバー体においては、単品格納型ディスプレイが商品棚等にぶら下げられた場合に、前側に装着される部分が上にくるようになり、単品格納型ディスプレイが吊り下げられているところに消費者が真正面に向かいあった場合に、生理用ナプキンの前後ろの向きが、実際に自分の陰部にそれをあてる向きと一致しているために、当該吊り下げられた生理用ナプキンをそのまま自分の陰部にあてた様子を簡単に想起することができるようになるので、従来と比較して商品選択の容易性が高まることになる。
【００３９】
（１２）  ある用品の販売促進のために使用される販売促進のための単品格納型ディスプレイの外被となるサンプルパッキング用カバー体であって、前記ある用品がパッキングされたときに当該ある用品の着用者への当接面（人体当接面）となる側（人体当接面側）をカバーする部分（人体当接面側カバー部分）において、パッキングされる前記ある用品の着用者への当接面となる側の表面形状に沿った凹凸（人体当接面側表面形状追従凹凸）が更に設けられているか、もしくは、前記人体当接面側カバー部分において、パッキングされる前記ある用品の着用者への当接面に当接する人体の一部の形状をイメージさせる凹凸（人体形状想起凹凸）が更に設けられているものであることを特徴とするサンプルパッキング用カバー体。
【００４０】
上記（１２）に係るサンプルパッキング用カバー体においては、パッキングされる用品の表面形状に沿った凹凸が更に設けられることにより、まずは、前述の（３）のサンプルパッキング用カバー体と同様に、パッキングされている生理用ナプキンに対するサンプルパッキング用カバー体の立体強調効果やズレ防止効果が更に高まり、単品格納型ディスプレイとしての機能が更に高められることになる。
【００４１】
また、上記（１２）に係るサンプルパッキング用カバー体においては、人体当接面側カバー部分において人体の一部の形状をイメージさせる凹凸が設けられていることにより、前述の（４）のサンプルパッキング用カバー体と同様に、消費者にとっては、着用したときの様子が想起されやすいという効果を奏し、商品選択の際に便利である。
【００４２】
（１３）  擬似的な人体の一部を想起させるものとして、前記人体当接面側表面形状追従凹凸もしくは前記人体形状想起凹凸に対して嵌め合わせることができるサブディスプレイ片が、更に取り付けられているものであることを特徴とする（１２）記載のサンプルパッキング用カバー体。
【００４３】
上記（１３）に係るサンプルパッキング用カバー体においては、前述の（５）のサンプルパッキング用カバー体と同様に、上記のようなサブディスプレイ片が更に取り付けられていることにより、消費者はサブディスプレイ片を手にとって単品格納型ディスプレイの人体当接面側カバー部分にこれを嵌め合わせたりすることができる。これによって、サンプル商品（生理用ナプキン）を着用した状態を上記（４）のカバー体の場合よりも、よりイメージしやすくなるという効果がある。
【００４４】
（１４）  ある生理用品の販売促進のために使用される販売促進のための単品格納型ディスプレイの外被となるサンプルパッキング用カバー体であって、前記ある生理用品の下着への当接面（下着当接面）となる側（下着当接面側）をカバーする部分（下着当接面側カバー部分）には、前記下着当接面に当接されるもしくは当接されるべき下着のイミテーションラインが図示されていることを特徴とする（１３）記載のサンプルパッキング用カバー体。
【００４５】
上記（１４）に係るサンプルパッキング用カバー体においては、前述の（８）のサンプルパッキング用カバー体と同様に、下着のイミテーションラインが更に付加されていることにより、消費者にとっては実際に下着を使って装着した場合の状態を想起しやすくなり、また、パッキングされているサンプル商品（生理用ナプキン）に対してはどのような下着が好適であるかを判断する材料とすることが可能となる。
【００４６】
（１５）  ある用品の販売促進のために使用される販売促進のための単品格納型ディスプレイの外被となるサンプルパッキング用カバー体であって、前記ある用品の訴求ポイントを指摘する補助ディスプレイ片が、更に取り付けられているものであることを特徴とするサンプルパッキング用カバー体。
【００４７】
上記（１５）に係るサンプルパッキング用カバー体においては、前述の（９）のサンプルパッキング用カバー体と同様に、サンプル商品（生理用ナプキン等の生理用品や尿失禁用品等の用品）における訴求ポイント指摘する補助ディスプレイ片が更に取り付けられていることにより、当該サンプル商品のどの部分に訴求ポイントがあるかということについて、需要者が判断しやすくなる。
【００４８】
（１６）  ある用品の販売促進のために使用される販売促進のための単品格納型ディスプレイの外被となるサンプルパッキング用カバー体であって、サンプルパッキング用カバー体に前記ある用品がパッキングされて販売促進のための単品格納型ディスプレイが形成されたときに、当該ある用品において着用者の臀部に当接する部分が下側に位置するような形状とされていることを特徴とするサンプルパッキング用カバー体。
【００４９】
上記（１６）に係るサンプルパッキング用カバー体においては、前述の（１１）のサンプルパッキング用カバー体と同様に、単品格納型ディスプレイが商品棚等にぶら下げられた場合に、前側に装着される部分が上にくるようになり、単品格納型ディスプレイが吊り下げられているところに消費者が真正面に向かいあった場合に、生理用ナプキンの前後ろの向きが、実際に自分の陰部にそれをあてる向きと一致しているために、当該吊り下げられた生理用ナプキンをそのまま自分の陰部にあてた様子を簡単に想起することができるようになるので、従来と比較して商品選択の容易性が高まることになる。
【００５０】
（１７）  （１）から（１６）いずれか記載のサンプルパッキング用カバー体に、対応する用品がパッキングされたものからなる単品格納型ディスプレイ。
【００５１】
上記（１７）に係る単品格納型ディスプレイにおいては、上記（１）から（１６）いずれか記載のサンプルパッキング用カバー体によって用品がパッキングされていることにより、サンプルパッキング用カバー体によってパッキングされているサンプル商品（生理用ナプキン等の生理用品や尿失禁用品等の用品）の立体強調効果やズレ防止効果が更に高まり、パッキングされた生理用ナプキンの表面形状の強調がより顕著になると共に、単品格納型ディスプレイが消費者によって強く振られた場合でも、中身のサンプルがずれることが無いという効果がある。
【００５２】
また、消費者にとっては、着用したときの様子が想起されやすいという効果を奏し、消費者にとっては実際に下着を使って装着した場合の状態を想起しやすくなり、また、パッキングされているサンプル商品（生理用ナプキン）に対してはどのような下着が好適であるかを判断する材料とすることが可能となるどの部分に訴求ポイントがあるかということについて、需要者が判断し易くなる。
【００５３】
【発明を実施するための形態】
以下、本発明の好適な実施形態について図面を参照しながら説明する。なお、この好適な実施形態の説明にあたっては、「用品」の例として生理用品（生理用ナプキン）を挙げているが、例えば生理用品か尿失禁用品かで本発明の属性が変化するというものではないのであるから、本発明は例示の生理用品に限定されるものではない。
【００５４】
図１は、本発明の好適な実施形態となる単品格納型ディスプレイのサンプルパッキング用カバー体１１を示す図である。このサンプルパッキング用カバー体１１に、商品サンプルたる生理用品１３がパッキングされ、図２に示すような単品格納型ディスプレイ１４が形成される。
【００５５】
このような本発明に係るサンプルパッキング用カバー体１１において特徴的なことは、着用者の陰唇の陰裂方向に沿った方向（図１及び図２中のｘ方向）に直行する方向（図１及び図２に示されるのｙ方向）において、単品格納型ディスプレイ１４をその外側から見たときに全体として凹んだ印象を与える湾曲を形成する凹部１１ａがサンプルパッキング用カバー体１１に形成されていることである。
【００５６】
なお、本発明において、この湾曲は、ｘ方向においては必須ではなく、ｙ方向において必須である。また、この湾曲は、ｙ方向において、その全ての部材が凹んだように形成されているというものではなく、実際にこの実施形態では、図１及び図２に示されるように、凹部１１ａの中央部分において、パッキングされている生理用品１３の吸収体の隆起領域１３ｂに対応した形で、膨出部１１ｂが形成されている。
【００５７】
このような本発明に係る単品格納型ディスプレイにおいては、図３に示されるように、補助ディスプレイ１５及びサブディスプレイ片１６が取り付けられている。ここで、図４は、図３の破線で示されるＡの領域（即ち、補助ディスプレイ片１５が取り付けられている部分）を解り易く拡大したものである。
【００５８】
これら図４及び図３を見れば明らかなように、この実施形態においては、単品格納型ディスプレイで陳列される生理用品の特徴が、消費者により強烈にアピールされるように、補助ディスプレイ片１５によって表示されている。因みに、この実施形態においてパッキングされている生理用品１３は、経血の後ろ漏れ防止のためにその表面の凸凹について特別な工夫がなされた生理用ナプキンであって、ｘ方向及びｙ方向に窪み（凹み）を有する本発明に係るサンプルパッキング用カバー体は、このような生理用ナプキンのパッキング用の透明ケース体として好適である。
【００５９】
更に説明すれば、この実施形態においてパッキングされている生理用品１３においては、ナプキンの中央部分の盛り上がり（隆起領域）１３ｂが着用者の臀部の窪みにフィットするようにされているために、経血の後ろ漏れが強力に防止されるようになされているのであり（この隆起領域１３ｂの部分は、経血の吸収を行う吸収体やパルプ等で構成されている）、その性能についての強調が、図３及び図４に示されているように、この補助ディスプレイ片１５においてなされていることになる。
【００６０】
また、サブディスプレイ片１６が取り付けられていることにより、消費者としては、このサブディスプレイ片１６の小窪み部１６ａの部分を、サンプルパッキング用カバー体１１の膨出部１１ｂに合致させるなどして、着用時のフィットの様子等を確認することができる。
【００６１】
ここで、図５は、図２をｙ方向で破断した場合の一部破断断面図を示した図である。一方、図６は、従来から使用されている単品格納型ディスプレイを同様の箇所で破断した一部断面図を示した図である。
【００６２】
これら図５と図６を比較すると判るように、本発明に係る単品格納型ディスプレイは、図５のｙ方向において凹んだ形状で湾曲しているのに対し、従来技術に係るものは図５のような湾曲がない。これにより、サンプルパッキング用カバー体１１内に収容された生理用品（ナプキン）１３のフラップ１３ａが立ち上がった格好で収容されることになる。これにより、購入を検討している消費者においては、このフラップ１３ａの立ち具合から横漏れ防止の効果の程度をある程度推測することができるのである。
【００６３】
また、図５から明らかなように、本発明に係る単品格納型ディスプレイにおいては、ナプキン１３の隆起領域１３ｂがサンプルパッキング用カバー体１１の膨出部１１ｂの部分に嵌まり込み、この部分で横方向（ｙ方向）のズレが防止されている。これに関し、図６で示される従来例では、横ズレ防止という効果が得られず、先に述べたように、パッキングされている生理用品（ナプキン）１３の特徴が目で見て直ちに分かるような形で利用者にアピールできる構造とはなっていない。そしてその点、本発明においては、商品性能のアピール向上と横ズレ防止という二重の効果が、ｙ方向の湾曲によって得られるのである。
【００６４】
本発明の好適な一実施形態においては、図７に示されるように、生理用品（ナプキン）１３のその表面形状に沿ってカバー体１１の表面形状が形成されている。そして、図７に示されるように、生理用品（ナプキン）１３の表面１３ｃの起伏に追従させた形でカバー体１１の上面１１ｃの起伏が構成されているのである。
【００６５】
こうすることにより、このような工夫がされていない図８に示されるようなものと比較すると、カバー体１１表面の形状がそのままナプキン１３の表面の形状となるので、消費者としては、たとえ中の生理用品（ナプキン）１３に直接触ることができなくても、その表面の形状を確認することができ、生理用品（ナプキン）１３の表面形状に起因した吸収性能について、ある程度の確信を得ることもできる。
【００６６】
なお、このカバー体１１の上面１１ｃにおける、生理用品（ナプキン）１３の表面１３ｃの起伏に追従させた起伏は、生理用品（ナプキン）１３の立体感強調と横ズレ防止のために、基本的にはｘ方向にもｙ方向にも設けられる。
【００６７】
ここで、本実施形態に係るサンプルパッキング用カバー体１１においては、パッキングされているナプキン１３を直接触ること実現するための窓（例えば、図１３及び図１４における窓９）は特に設けられていないが、これにより、窓からゴミが入ることによるナプキンの汚れが防止されるものである。また、本実施形態に係るサンプルパッキング用カバー体１１においては、図１３及び図１４における窓９のようなものが設けられていなかったとしても、先に述べたように、カバー体１１表面の形状がそのままナプキン１３の表面の形状とされているので、カバー体１１の上面１１ｃの形状を触覚によって確認することを通じて、生理用品（ナプキン）１３の表面形状に起因した吸収性能について、ある程度の確信を得ることができる。
【００６８】
なお、図７及び図８に示されているように、これらのディスプレイにおいては、立体感強調のために、パッキングされている生理用品（ナプキン）１３を湾曲させ、その形態を維持させるためのサポート台１７が設けられている。
【００６９】
図９及び図１０は、本発明の湾曲の効果を説明するためのものである。図９は、本発明に係る単品格納型ディスプレイを示したであり、図１０は従来に係る単品格納型ディスプレイを図示したものである。当然のことながら、図９においては、ｙ方向における湾曲が形成されているのに対し、図１０においては、ｙ方向における湾曲が形成されていない。
【００７０】
このような相違に基づき、例えば図９に示されるように、ナプキンの臀部と当接する部分であるヒップガードの部分１３ｄにおいては、本発明によれば、サンプルパッキング用カバー体１１がｘ方向にもｙ方向にも湾曲し、全体としてすり鉢状になっているために、ヒップを包み込むような形状を簡単に再現することができるのであるが（図２も参照すると更に明らかになる）、図１０に示される従来品では、ｘ方向の直立の度合いをかなり高めなければそれを再現することができないのである。
【００７１】
そして、そのようにしてしまった場合には、その前方への突き出しが大きくなってしまうことにより、例えば図１１に示されるように、商品陳列棚１８に吊り下げられたときに、それが邪魔になってしまうということにもなりかねない。この点、本発明に係る単品格納型ディスプレイ１４においては、それほど余計な場所を取ることなく、需要者の目に触れられることになり、邪魔になることもない。
【００７２】
ところで、単品格納型ディスプレイというのは、図１１に示されるように、商品のパッケージから取り出された一つのものが独立してディスプレイされているものであって、需要者としてはそれを手にとって自由に取り扱うことができる。このため、カバー体１１は、四方八方のいずれからも透明であることが望ましい。
【００７３】
透明な部材としては、アクリル樹脂やポリカーボネイト樹脂など、一般的に透明なプラスチック類といわれているものを使用することができ、使用に応じて着色をしたり模様付けをしたりすることもできる。また、需要者が手にとって、ときには引っくり返すなど、その向きを変えたりして自由に眺めることができるものであるから、少々乱暴に取り扱われたとしても、このパッキング用カバー体１１内においてズレたりしないことが好ましい。
【００７４】
この点、本発明に係る単品格納型ディスプレイ１４においては、縦方向にも横方向にも湾曲し、それによって（その湾曲によって）、パッキングされている商品（生理用品（ナプキン）１３）の動きが規制されることになるため、需要者による引っくり返し動作等に強く、いつまでも変わらないままディスプレイされる点で、ディスプレイ機能としては充実しているものと位置付けることができる。
【００７５】
なお、サンプルパッキング用カバー体１１の全面を全て透明にした場合においては、消費者としては、中にパッキングされているナプキンを、裏側からも確認することができるようになるため、図１２に示されるように、ナプキン１３が取り付けられるショーツ類を想定した仮想片２０をサンプルとして同封することにより、消費者としては、それを着用した場合のイメージを容易に想定することができるようになる。
【００７６】
【発明の効果】
以上説明したように、本発明に係る単品格納型ディスプレイにおいては、消費者に対して、その性能や訴求ポイントをあますことなくアピールすることができる。また、本発明によれば、そのような単品格納型ディスプレイを作り出せるようなサンプルパッキング用カバー体を提供することができる。
【００７７】
即ち、本発明に係る単品格納型ディスプレイにおいては、縦横のいずれの方向にも窪み（凹み）が設けられ、かつ、その表面形状もサンプル商品（生理用ナプキン等の生理用品）の表面形状に合わせたサンプルパッキング用カバー体を使用し、そこにサンプル商品（生理用ナプキン等の生理用品）をパッキングすることとしているため、サンプルパッキング用カバー体によってパッキングされているサンプル商品（生理用ナプキン等の生理用品）の立体強調効果やズレ防止効果が更に高まり、パッキングされた生理用ナプキンの表面形状の強調がより顕著になると共に、単品格納型ディスプレイが消費者によって強く振られた場合でも、中身のサンプルがずれることが無いという効果がある。
【００７８】
また、消費者にとっては、着用したときの様子が想起されやすいという効果を奏し、消費者にとっては実際に下着を使って装着した場合の状態を想起しやすくなり、また、パッキングされているサンプル商品（生理用ナプキン）に対してはどのような下着が好適であるかを判断する材料とすることが可能となるどの部分に訴求ポイントがあるかということについて、需要者が判断し易くなる。
【図面の簡単な説明】
【図１】  本発明の好適な一実施形態に係るサンプルパッキング用カバー体の斜視図である。
【図２】  本発明の好適な一実施形態に係るサンプルパッキング用カバー体にサンプル商品（生理用ナプキン）がパッキングすることにより形成された単品格納型ディスプレイの斜視図である。
【図３】  補助ディスプレイ片が設けられた実施形態を示す斜視図である。
【図４】  補助ディスプレイ片の説明をするために図３の一部を拡大した一部拡大図である。
【図５】  本発明の好適な一実施形態に係る単品格納型ディスプレイをｙ方向で一部切り欠いたときの様子を示す一部断面図である。
【図６】  従来の単品格納型ディスプレイを図５のものと同様の位置で一部切り欠いたときの様子を示す一部断面図である。
【図７】  本発明の好適な一実施形態に係る単品格納型ディスプレイをｘ方向で一部切り欠いたときの様子を示す一部断面図である。
【図８】  従来の単品格納型ディスプレイを図７のものと同様の位置で一部切り欠いたときの様子を示す一部断面図である。
【図９】  本発明の好適な一実施形態に係る単品格納型ディスプレイをｙ方向から見たときの様子を示す側面図である。
【図１０】  従来の単品格納型ディスプレイを図９のものと同様の位置から見たときの様子を示す側面図である。
【図１１】  本発明の好適な一実施形態に係る単品格納型ディスプレイを商品陳列棚に吊り下げた状態を示す図である。
【図１２】  本発明の好適な一実施形態に係る単品格納型ディスプレイであって、下着のイミテーションが付された実施形態を示す図である。
【図１３】  従来品に係るサンプルパッキング用カバー体の斜視図である。
【図１４】  従来品に係るサンプルパッキング用カバー体にサンプル商品（生理用ナプキン）がパッキングすることにより形成された単品格納型ディスプレイの斜視図である。
【符号の説明】
１１  サンプルパッキング用カバー体
１１ａ  凹部
１１ｂ  膨出部
１１ｃ  サンプルパッキング用カバー体の上面
１３  サンプル商品としての生理用品（生理用ナプキン）
１３ａ  フラップ
１３ｂ  隆起領域
１３ｃ  生理用品（生理用ナプキン）の表面
１３ｄ  ヒップガード
１４  単品格納型ディスプレイ
１５  補助ディスプレイ片
１６  サブディスプレイ片
１６ａ  サブディスプレイ片の小窪み部
１７  サポート台
１８  商品陳列棚
２０  仮想片
【図１】
0004848107.tif 000002
【図２】
0004848107.tif 000003
【図３】
0004848107.tif 000004
【図４】
0004848107.tif 000005
【図５】
0004848107.tif 000006
【図６】
0004848107.tif 000007
【図７】
0004848107.tif 000008
【図８】
0004848107.tif 000009
【図９】
0004848107.tif 000010
【図１０】
0004848107.tif 000011
【図１１】
0004848107.tif 000012
【図１２】
0004848107.tif 000013
【図１３】
0004848107.tif 000014
【図１４】
0004848107.tif 000015